(57)【要約】      （修正有）【課題】通電時に常に回転方向が一定となるファンを利用したファン式芳香器を提供する。【解決手段】永久磁石２を有するローター１と、空芯コイルの電磁石を有するステータ３とを組み合わせ回転磁界により前記ロータを回転させる。この種のモーターは、その構造上、通電スタート時の回転方向がランダムであり、常に回転方向を一定とするため、先端がゆるやかにカーブしたスリップピン６をファン５に接触させ、スリップピン６のカーブに逆らわずファン５が回転しようとするか、しないかによる接し圧の変化により、ファンの回転方向を一定方向とする。【選択図】図１
0003165213.tif 000002
【実用新案登録請求の範囲】
【請求項１】
永久磁石を有するロータと、空芯コイルによる電磁石を有するステータとを備え、前記永久磁石と前記空芯コイルによる電磁石との間に回転磁界を発生させて前記ロータを回転させるモーターにファンを取り付け、通電スタート時のモーター回転方向を常に一定方向とするために、先端がゆるやかにカーブしたスリップピンをファンに接触させ、このスリップピンのカーブに逆らわずファンが回転しようとするか、しないかによるスリップピンの接し圧の変化により、ファンの回転方向を強制的に定める事を特徴とする低電流駆動モーターファン式芳香器
【請求項２】
請求項１記載のモーターであり、通電スタート時のモーター回転方向を常に一定方向とするために、モーターに取り付けたファンの円周にそって凹凸の溝を作り歯車とし、ステータ側に歯止め（爪）を設けてラチェット構造とする事により、ファンの回転方向を強制的に定める事を特徴とする低電流駆動モーターファン式芳香器
【考案の詳細な説明】
【技術分野】
【０００１】
本考案は、モーター利用によるファン式芳香器に関するものである。
【背景技術】
【０００２】
従来よりモーターでファンを回し、ファンによる風で芳香剤を広く拡散する装置はあるが、使用するモーターは一般的モーターであり、消費電流が多く電池駆動の場合は３０日〜６０日程度で電池交換が必要となり、管理メンテナンスの工数がかかり経済的ではない。太陽電池で駆動する方法も考えられてはいるが、一般的モーターでは駆動電流が多く必要であり、室内の明るさで駆動しようとした場合に大型の太陽電池が必要となり実用的な装置とならない。
【０００３】
消費電流を抑え実用的な小型太陽電池でも駆動可能な装置として、永久磁石と電磁石を組み合わせた振り子方式の芳香器があるが、芳香剤の入った容器ごと振る構造となるため、振り子の先に取り付ける容器はできるだけ軽く作る必要があり、少量の芳香剤しかセットできないという欠点がある。
【０００４】
実用的な小型太陽電池でも駆動可能な装置として、永久磁石を有するロータと、空芯コイルの電磁石を有するステータとを組み合わせ、回転磁界により前記ロータを回転させる低電流駆動モーターはあるが、モーターの構造上、通電スタート時の回転方向がランダムであり、右回転のみ、左回転のみというように一方向に定めた回転指示ができない。そのため商品ディスプレイ等限られた用途での使用にとどまっている。
【先行技術文献】
【特許文献】
【０００５】
【特許文献１】実開昭６１−１３６７４２
【特許文献２】特開２００６−０６８５０５
【特許文献３】特開２００５−３４１６４７
【考案の概要】
【考案が解決しようとする課題】
【０００６】
解決しようとする問題点は、永久磁石を有するローターと、空芯コイルの電磁石を有するステータとを組み合わせ、回転磁界により前記ロータを回転させる低電流駆動モーターにおいて、回転方向の指示ができない点である。
【課題を解決するための手段】
【０００７】
本考案は、低電流駆動モーターの回転方向を一定方向に回転させるため、スリップピンを用いたり、ラチェット機構を用いたりする事を最も主要な特徴とする。
【考案の効果】
【０００８】
本考案の低電流駆動モーターファン式芳香器は、モーターの回転方向を一定方向とするのにスリップピンの追加、またはラチェット機構の追加のみで済み、回転方向の制御をするのに電子回路や複雑な機械構造を必要としないため、簡単かつ安価に製作できるという利点がある。
【図面の簡単な説明】
【０００９】
本考案は、低電流駆動モーターの回転方向を一定方向に回転させる構造の説明が主となるため、モーターの動作原理、ファンによる芳香剤拡散方法に関する説明は省略する。
【００１０】
【図１】図１は低電流駆動モーターファン式芳香器の実施方法を示した説明図である。（実施例１）
【図２】図２は低電流駆動モーターファン式芳香器の実施方法を示した説明図である。（実施例２）
【考案を実施するための形態】
【００１１】
低電流駆動モーターの回転方向を一定方向に回転させるという目的を、スリップピンをファンに接触させる方法、またはファンにラチェット構造を追加する方法で実現した。
【実施例１】
【００１２】
図１は、本考案装置の１実施例の説明図であって、１はロータ、２は永久磁石、３はステータ、４は電磁石、５はファン、６はスリップピンである。
【００１３】
永久磁石２を有するロータ１と、空芯コイルによる電磁石４を有するステータ３とを備え、前記永久磁石２と前記空芯コイルによる電磁石４との間に回転磁界を発生させて、前記ロータ１を回転させる。前記ロータ１にはファン５が取り付けられており、このファン５の回転で発生する風により芳香剤を広く拡散させる装置となるが、本考案の主体は前記ロータ１の回転方向を一定方向に定める方法にあるので、モーターの動作原理、ファンによる芳香剤拡散方法の説明は省略する。
【００１４】
低電流駆動モーターは、その構造上、通電スタート時の回転方向が定まらない性質がある。そのため回転方向を一定とする必要がある例えばファン等のモーターに利用できなかったが、スリップピン６を前記ファン５に接触させる事により、通電スタート時に常にモーターの回転方向を一定方向とする事ができ、ファンへの利用が可能となった。
【００１５】
前記スリップピン６の先端は、やわらかくカーブをしており、カーブに逆らわない方向すなわち矢印方向に前記ファン５が回転する場合は、前記スリップピン６の接し圧は少なく摩擦抵抗も小さい。反対にカーブに逆らう方向すなわち反矢印方向に前記ファン５が回転しようとした場合は、前記スリップピン６の接し圧は多くなり摩擦抵抗も大きくなって前記ファン５の回転にブレーキをかける。この前記スリップピン６の作用により、低電流駆動モーターの回転方向を一定方向に定める事ができた。
【実施例２】
【００１６】
図２は、本考案装置の１実施例の説明図であって、３と５は図１と同様である。また、７はラチェット構造、８は歯止め（爪）、９は歯車である。
【００１７】
ファン５には円周そって凹凸の溝が作られており、ラチェット構造７の歯車９として機能をする。ステータ３には歯止め（爪）８が設けられており、前記歯車９と前記歯止め（爪）８とでラチェット機構となり、ファンの回転方向に方向性をもたらす事により、低電流駆動モーターの回転方向を一定方向に定める事ができた。
【産業上の利用可能性】
【００１８】
空気清浄機、加湿器等、風量はいらないがファンを必要とする装置への低電流駆動モーター利用が可能となる。
【符号の説明】
【００１９】
１    ロータ
２    永久磁石
３    ステータ
４    電磁石
５    ファン
６    スリップピン
７    ラチェット構造
８    歯止め（爪）
９    歯車
【図１】
0003165213.tif 000003
【図２】
0003165213.tif 000004